(57)【要約】【課題】限られた敷地内で太陽光パネルによる発電量を増加させることができる建物を得る。【解決手段】建物１０は、吹き抜け部１６と、吹き抜け部１６に設けられ複数の太陽光パネル２８を上下方向に収納する収納部２０と、複数の太陽光パネル２８を吹き抜け部１６に案内するガイドレール４０Ａ、４０Ｂ等を有している。ここで、複数の太陽光パネル２８をガイドレール４０Ａ、４０Ｂ等を用いて吹き抜け部１６の開口部３０へ案内することで、複数の太陽光パネル２８が並べて配置されるので、吹き抜け部１６で１枚の太陽光パネル２８を用いて太陽光発電を行う構成に比べて、太陽光パネル全体の発電量を増加させることができる。また、複数の太陽光パネル２８を収納部２０に収納しておくことで、吹き抜け部１６の通気性及び採光性を確保することができる。【選択図】図１
2012162935.tif 000002
【特許請求の範囲】
【請求項１】
吹き抜け部に設けられ、複数の太陽光パネルが、上下方向に複数段で収納されると共に前記吹き抜け部の奥行き方向に引き出し可能とされた収納部と、
前記収納部から引き出される複数の前記太陽光パネルを前記吹き抜け部の前記収納部とは異なる開口部に案内する案内手段と、
を有する建物。
【請求項２】
前記案内手段により前記開口部に案内された前記複数の太陽光パネルが隣接して配置される請求項１に記載の建物。
【請求項３】
前記収納部には、足場となる作業用パネルが複数の前記太陽光パネルの下側に収納され、該作業用パネルは、前記案内手段によって前記開口部へ案内される請求項１又は請求項２に記載の建物。
【請求項４】
前記案内手段は、前記開口部の上部に設けられたレール材である請求項１から請求項３のいずれか１項に記載の建物。
【請求項５】
前記吹き抜け部には、複数の前記太陽光パネルの配線を収納する配線ボックスが設けられている請求項１から請求項４のいずれか１項に記載の建物。
【請求項６】
前記配線ボックスは、前記奥行き方向に開口した筒体である請求項５に記載の建物。
【請求項７】
前記収納部には、前記太陽光パネルを前記上下方向及び前記奥行き方向と交差する交差方向へ引き出し可能となる大きさの引出口が形成されている請求項１から請求項６のいずれか１項に記載の建物。
【請求項８】
照度、湿度、及び風速のうち少なくとも１つを検知する検知手段と、
前記検知手段で検知された照度、湿度、及び風速の少なくとも１つと、予め設定された設定条件とを比較して、前記吹き抜け部又は前記収納部への前記太陽光パネルの移動を制御する制御手段と、
が設けられている請求項１から請求項７のいずれか１項に記載の建物。
【請求項９】
前記制御手段は、前記太陽光パネルの移動を自動又は手動に切り換える動作モード切り換え機能を有し、
前記太陽光パネルには、手動での引き出し時に把持される把持部が設けられている請求項８に記載の建物。
【請求項１０】
前記案内手段で案内された前記太陽光パネルを隣接する建物との間に案内する架設部材が設けられている請求項１から請求項９のいずれか１項に記載の建物。
【請求項１１】
前記吹き抜け部から前記隣接する建物との間への前記太陽光パネルの移動を制御する補助制御手段が設けられている請求項１０に記載の建物。
【請求項１２】
前記収納部の上部には、収納された複数の前記太陽光パネルのうち最上段にある前記太陽光パネルが受光可能となる窓部が設けられている請求項１から請求項１１のいずれか１項に記載の建物。
【発明の詳細な説明】
【技術分野】
【０００１】
本発明は、太陽光パネルを有する建物に関する。
【背景技術】
【０００２】
特許文献１の建物は、中庭の上方にルーバー装置を設けている。このルーバー装置は、複数の羽根板が同じ角度に向けられるように回動可能に設けられており、各羽根板の表面には、太陽電池パネルが取付けられている。
【先行技術文献】
【特許文献】
【０００３】
【特許文献１】特開２００３−２２１８９６号公報
【発明の概要】
【発明が解決しようとする課題】
【０００４】
しかしながら、上記の特許文献１に開示された先行技術では、中庭の上方にルーバー装置を固定しているので、太陽電池パネルの面積を増加させることができず、太陽電池パネルによる発電量を増加させることができなかった。
【０００５】
本発明は上記事実を考慮し、限られた敷地内で太陽光パネルによる発電量を増加させることができる建物を得ることが目的である。
【課題を解決するための手段】
【０００６】
請求項１の発明に係る建物は、吹き抜け部に設けられ、複数の太陽光パネルが、上下方向に複数段で収納されると共に前記吹き抜け部の奥行き方向に引き出し可能とされた収納部と、前記収納部から引き出される複数の前記太陽光パネルを前記吹き抜け部の前記収納部とは異なる開口部に案内する案内手段と、を有する。
【０００７】
請求項１の発明に係る建物では、居住者が太陽光パネルによる発電量の増加を必要とする場合、収納部内に収納されている複数の太陽光パネルを引き出すと共に案内手段を用いて開口部へ案内する。これにより、開口部（吹き抜け部）を覆って複数の太陽光パネルが配置されるので、吹き抜け部で１枚の太陽光パネルを用いて太陽光発電を行う構成に比べて、太陽光パネル全体での発電量を増加させることができる。
【０００８】
一方、居住者が通気性及び採光性を必要とする場合には、複数の太陽光パネルを収納部に収納しておく。ここで、収納部では、複数の太陽光パネルが上下方向に複数段で収納されているため、吹き抜け部における収納部の占有面積の比率は低くなる。これにより、吹き抜け部の通気性及び採光性を確保することができる。
【０００９】
請求項２の発明に係る建物は、前記案内手段により前記開口部に案内された前記複数の太陽光パネルが隣接して配置される。
【００１０】
請求項２の発明に係る建物では、案内手段として、例えば、ストッパー部材や各太陽光パネルの幅に対応した長さの異なるレール材を用いることで、収納部から引き出された複数の太陽光パネルが、建物の平面視で見て隣接して配置される。このように、複数の太陽光パネルが案内手段で案内されて隣接配置されるので、複数の太陽光パネルの設置時に各太陽光パネル間の隙間を低減することができる。さらに、無駄な空きスペースを減らせるので、吹き抜け部の面積に対する太陽光パネルの表面積（設置面積）の占有率を上げることができ、発電量を増やすことができる。
【００１１】
請求項３の発明に係る建物は、前記収納部には、足場となる作業用パネルが複数の前記太陽光パネルの下側に収納され、該作業用パネルは、前記案内手段によって前記開口部へ案内される。
【００１２】
請求項３の発明に係る建物では、収納部から作業用パネルを引き出すと共に案内手段によって開口部（吹き抜け部）へ案内して作業用パネルを配置する。この作業用パネルが足場となり、作業用パネルよりも上側に収納されている各太陽光パネルの引き出し及びメンテナンス作業を行うことができるので、別途、脚立等の足場を準備する必要がなくなり、太陽光パネルのメンテナンス作業を容易に行うことができる。また、メンテナンス作業後は、複数の太陽光パネルと共に収納部に収納すればよいので、作業用パネル用に別途収納部を設けなくても済む。
【００１３】
請求項４の発明に係る建物は、前記案内手段は、前記開口部の上部に設けられたレール材である。
【００１４】
請求項４の発明に係る建物では、レール材を開口部の上部に設置するだけでよいので、案内手段の施工を簡単に行うことができる、
【００１５】
請求項５の発明に係る建物は、前記吹き抜け部には、複数の前記太陽光パネルの配線を収納する配線ボックスが設けられている。
【００１６】
請求項５の発明に係る建物では、太陽光パネルに接続された配線が、配線ボックスによって集約されると共に覆われるので、各太陽光パネルを移動させるときに配線が露出しにくくなり、太陽光パネルの配線に傷が付くのを抑制することができる。
【００１７】
請求項６の発明に係る建物は、前記配線ボックスは、前記奥行き方向に開口した筒体である。
【００１８】
請求項６の発明に係る建物では、配線ボックスが太陽光パネルの引き出し方向に開口した形状となっているため、配線は、少なくとも、引き出し方向と直交する方向で配線ボックスにより覆われる。これにより、移動する各太陽光パネルと配線とが接触しにくくなり、太陽光パネルの配線に傷が付くのを抑制することができる。
【００１９】
請求項７の発明に係る建物は、前記収納部には、前記太陽光パネルを前記上下方向及び前記奥行き方向と交差する交差方向へ引き出し可能となる大きさの引出口が形成されている。
【００２０】
請求項７の発明に係る建物では、例えば、吹き抜け部が狭いことにより、収納部内の全ての太陽光パネルを開口部へ引き出すことができない場合、収納部内に残った太陽光パネルを引出口から屋根側へ引き出して使用することができる。これにより、吹き抜け部が狭い場合であっても、太陽光パネルによる発電量が低下するのを抑制することができる。
【００２１】
請求項８の発明に係る建物は、照度、湿度、及び風速のうち少なくとも１つを検知する検知手段と、前記検知手段で検知された照度、湿度、及び風速の少なくとも１つと、予め設定された設定条件とを比較して、前記吹き抜け部又は前記収納部への前記太陽光パネルの移動を制御する制御手段と、が設けられている。
【００２２】
請求項８の発明に係る建物では、制御部が、検知手段で検知された照度、湿度、及び風速のうち少なくとも１つの環境条件と、予め設定された設定条件とを比較する。そして、太陽光発電が必要と判定したときは太陽光パネルを開口部（吹き抜け部）へ移動させ、通気性、採光性が必要と判定したときは太陽光パネルを収納部へ移動させる。このように、太陽光パネルの移動が自動制御となるので、建物の居住者が行う太陽光パネルの移動作業を無くすことができる。
【００２３】
請求項９の発明に係る建物は、前記制御手段は、前記太陽光パネルの移動を自動又は手動に切り換える動作モード切り換え機能を有し、前記太陽光パネルには、手動での引き出し時に把持される把持部が設けられている。
【００２４】
請求項９の発明に係る建物では、太陽光パネルのメンテナンス作業を行う場合において、太陽光パネルを僅かに移動させるとき、制御手段で自動モードから手動モードに切り換え把持部を把持して引っ張ると、すぐに太陽光パネルを移動させることができ、且つ移動位置の微調整が行える。このように、太陽光パネルの移動時間が短くなり、且つ太陽光パネルの移動に余分なエネルギー（電力）を消費しなくて済むので、太陽光パネルのメンテナンス作業時のエネルギー消費量を低減することができる。
【００２５】
請求項１０の発明に係る建物は、前記案内手段で案内された前記太陽光パネルを隣接する建物との間に案内する架設部材が設けられている。
【００２６】
請求項１０の発明に係る建物では、建物と建物との間に架設部材を架設した後、太陽光パネルが架設部材で案内されて建物と建物との間に配置される。これにより、開口部（吹き抜け部）だけでなく、建物と建物との間の空間も太陽光発電に利用可能となるので、太陽光パネルによる発電量を増加させることができる。
【００２７】
請求項１１の発明に係る建物は、前記吹き抜け部から前記隣接する建物との間への前記太陽光パネルの移動を制御する補助制御手段が設けられている。
【００２８】
請求項１１の発明に係る建物では、補助制御手段が、吹き抜け部から隣接する建物との間への太陽光パネルの移動を制御する。これにより、吹き抜け部から隣接する建物との間への太陽光パネルの移動が自動制御となるので、建物の居住者が手動で行う太陽光パネルの移動作業を無くすことができる。
【００２９】
請求項１２の発明に係る建物は、前記収納部の上部には、収納された複数の前記太陽光パネルのうち最上段にある前記太陽光パネルが受光可能となる窓部が設けられている。
【００３０】
請求項１２の発明に係る建物では、収納部に全ての太陽光パネルを収納しても、最上段の太陽光パネルで太陽光が受光されるので、発電を行うことができる。
【発明の効果】
【００３１】
以上説明したように、請求項１に記載の本発明に係る建物によれば、限られた敷地内で太陽光パネルによる発電量を増加させることができるという優れた効果を有する。
【００３２】
請求項２に記載の本発明に係る建物によれば、複数の太陽光パネルの設置時に各太陽光パネル間の隙間を低減することができるという優れた効果を有する。
【００３３】
請求項３に記載の本発明に係る建物によれば、太陽光パネルのメンテナンス作業を容易に行うことができるという優れた効果を有する。
【００３４】
請求項４に記載の本発明に係る建物によれば、案内手段の施工を簡単に行うことができるという優れた効果を有する。
【００３５】
請求項５に記載の本発明に係る建物によれば、太陽光パネルの配線に傷が付くのを抑制することができるという優れた効果を有する。
【００３６】
請求項６に記載の本発明に係る建物によれば、太陽光パネルの配線に傷が付くのを抑制することができるという優れた効果を有する。
【００３７】
請求項７に記載の本発明に係る建物によれば、太陽光パネルによる発電量が低下するのを抑制することができるという優れた効果を有する。
【００３８】
請求項８に記載の本発明に係る建物によれば、建物の居住者が行う太陽光パネルの移動作業を無くすことができるという優れた効果を有する。
【００３９】
請求項９に記載の本発明に係る建物によれば、太陽光パネルのメンテナンス作業時のエネルギー消費量を低減することができるという優れた効果を有する。
【００４０】
請求項１０に記載の本発明に係る建物によれば、太陽光パネルによる発電量を増加させることができるという優れた効果を有する。
【００４１】
請求項１１に記載の本発明に係る建物によれば、建物の居住者が手動で行う太陽光パネルの移動作業を無くすことができるという優れた効果を有する。
【００４２】
請求項１２に記載の本発明に係る建物によれば、収納部に全ての太陽光パネルを収納しても発電を行うことができるという優れた効果を有する。
【図面の簡単な説明】
【００４３】
【図１】第１実施形態に係る建物の斜視図である。
【図２】（Ａ）第１実施形態に係る太陽光パネルの収納部の縦断面図である。（Ｂ）第１実施形態に係る太陽光パネルの幅と各ガイドレールの長さとを比較した模式図である。
【図３】（Ａ）第１実施形態に係る太陽光パネルが収納部からガイドレールへ移動する状態を示す断面図である。（Ｂ）第１実施形態に係る配線ボックスを示す斜視図である。
【図４】第１実施形態に係る太陽光パネルの移動を制御する制御部の構成図である。
【図５】第１実施形態に係る太陽光パネルの引き出し動作又は収納動作を昼夜、天候、風速で場合分けしたフロー図である。
【図６】（Ａ）、（Ｂ）第１実施形態に係る太陽光パネルの収納状態、引き出し状態を示す建物の斜視図である。
【図７】（Ａ）、（Ｂ）第１実施形態に係る太陽光パネルを昼夜、天候に合わせて引き出した状態、収納した状態を示す建物の斜視図である。
【図８】第１実施形態に係る太陽光パネルの他の実施例を示す説明図である。
【図９】第２実施形態に係る太陽光パネルの収納部の縦断面図である。
【図１０】第２実施形態に係る収納部において太陽光パネルを２方向に引き出す状態を示す説明図である。
【図１１】第３実施形態に係る建物の斜視図である。
【図１２】第３実施形態に係る太陽光パネルと各ガイドレールの配置を示す模式図である。
【発明を実施するための形態】
【００４４】
（第１実施形態）
本発明の第１実施形態に係る建物について説明する。
【００４５】
図１には、第１実施形態の建物１０が示されている。建物１０は、一例として、居住者が生活する場である居住部１２と、外壁１４と、居住部１２及び外壁１４で囲まれた吹き抜け部１６とを有している。なお、以後の説明に用いる図では、居住部１２の長手方向（桁方向）であり且つ吹き抜け部１６の奥行き方向を矢印Ｘ方向、居住部１２の短手方向（妻方向）を矢印Ｙ方向、上下方向（高さ方向）を矢印Ｚ方向で示す。また、建物１０の隣地との境界線を二点鎖線Ａで示す。
【００４６】
居住部１２は、柱及び梁からなる躯体（図示省略）と、この躯体の最上部に形成された陸屋根１８とを含んで二階建てで構築されており、建物１０の平面視で見て逆Ｌ字状に形成されている。そして、陸屋根１８の外縁部には腰壁１９が立設されている。
【００４７】
また、居住部１２の外周面は、道路２２側に配置され玄関２５が設けられた側壁２４Ａと、側壁２４Ａの一端側と連続して外壁１４と対向配置された側壁２４Ｂと、側壁２４Ｂの端部から外壁１４側へ向けて延びる側壁２４Ｃと、側壁２４Ｃの端部から外壁１４に沿って延びる側壁２４Ｄと、側壁２４Ａの端部から他方側の隣地へ向けて延びる側壁２４Ｅと、側壁２４Ｅの端部から側壁２４Ａの他端側へ繋がる側壁２４Ｆとで構成されている。
【００４８】
外壁１４は、矢印Ｙ方向（厚さ方向に相当）に間隔をあけて側壁２４Ｂと対向配置されており、道路２２側とは反対側の端面が側壁２４Ｃと接触した配置となっている。また、外壁１４の上端の位置は、居住部１２の腰壁１９の上端の位置よりも所定の長さだけ下側となっている。なお、本実施形態では、外壁１４と居住部１２を別体として説明するが、外壁１４が居住部１２と一体で構築されていてもよい。
【００４９】
吹き抜け部１６は、建物１０を平面視で見て、居住部１２の側壁２４Ｂと、側壁２４Ｃと、外壁１４とでコ字状に囲まれ、且つ一階部分と二階部分が連通した空間であり、道路２２側が開放されている。また、吹き抜け部１６には、道路２２側における側壁２４Ｂの上部と外壁１４の上部との間にルーバー２６が架設されている。さらに、吹き抜け部１６には、ルーバー２６に隣接して、複数の太陽光パネル２８を収納する収納部２０が設けられている。なお、以後の説明では、吹き抜け部１６における収納部２０とは異なる部位（収納部２０を除いて平面視で見て矩形状に開口した部位）を開口部３０という。
【００５０】
図２（Ａ）に示すように、収納部２０は、一例として、４枚の太陽光パネル２８（上から２８Ａ、２８Ｂ、２８Ｃ、２８Ｄ）と、太陽光パネル２８Ｄの下側に配置された作業用パネル３４とを収納している。また、収納部２０は、矢印Ｘ方向に見て、太陽光パネル２８Ａ、２８Ｂ、２８Ｃ、２８Ｄ、及び作業用パネル３４の一端（図示の左端）を支持する上端支持部２１と、太陽光パネル２８Ａ、２８Ｂ、２８Ｃ、２８Ｄ、及び作業用パネル３４の他端（図示の右端）を支持する下端支持部２３とを有している。
【００５１】
上端支持部２１は、矢印Ｚ方向に直立配置された板状の取付部２１Ａと、取付部２１Ａの側面から外壁１４側へ突設された板状の支持部２１Ｂ、２１Ｃ、２１Ｄ、２１Ｅ、２１Ｆ、２１Ｇとを含んで構成されている。取付部２１Ａは、詳細を後述する配線ボックス３２の外壁１４側の側面にビス等を用いて固定されている。また、支持部２１Ｂ、２１Ｃ、２１Ｄ、２１Ｅ、２１Ｆ、２１Ｇは、太陽光パネル２８又は作業用パネル３４の厚さに相当する長さよりも長い間隔をあけて矢印Ｚ方向に６段で設けられており、それぞれの先端が同じ角度で斜め下方に向けて延びている。なお、矢印Ｘ方向（図示の奥行き方向）において、取付部２１Ａ及び支持部２１Ｂ、２１Ｃ、２１Ｄ、２１Ｅ、２１Ｆ、２１Ｇの幅は、太陽光パネル２８の幅より僅かに長くなっている。
【００５２】
下端支持部２３は、矢印Ｚ方向に直立配置された板状の取付部２３Ａと、取付部２３Ａの側面から側壁２４Ｂ側へ突設された板状の支持部２３Ｂ、２３Ｃ、２３Ｄ、２３Ｅ、２３Ｆ、２３Ｇとを含んで構成されている。取付部２３Ａは、外壁１４にビス等を用いて固定されている。また、支持部２３Ｂ、２３Ｃ、２３Ｄ、２３Ｅ、２３Ｆ、２３Ｇは、太陽光パネル２８又は作業用パネル３４の厚さに相当する長さよりも長い間隔をあけて矢印Ｚ方向に６段で設けられており、それぞれの先端が同じ角度で斜め上方に向けて延びている。なお、矢印Ｘ方向（図示の奥行き方向）において、取付部２３Ａ及び支持部２３Ｂ、２３Ｃ、２３Ｄ、２３Ｅ、２３Ｆ、２３Ｇの幅は、太陽光パネル２８の幅より僅かに長くなっている。
【００５３】
太陽光パネル２８Ａの一端は、支持部２１Ｂ及び支持部２１Ｃで挟まれるように支持部２１Ｃ上に載置されており、他端は、支持部２３Ｂ及び支持部２３Ｃで挟まれるように支持部２３Ｃ上に載置されている。これにより、太陽光パネル２８Ａが収納部２０内に収納されている。また、太陽光パネル２８Ｂの一端は、支持部２１Ｃ及び支持部２１Ｄで挟まれるように支持部２１Ｄ上に載置されており、他端は、支持部２３Ｃ及び支持部２３Ｄで挟まれるように支持部２３Ｄ上に載置されている。これにより、太陽光パネル２８Ｂが収納部２０内に収納されている。
【００５４】
同様に、太陽光パネル２８Ｃの一端は、支持部２１Ｄ及び支持部２１Ｅで挟まれるように支持部２１Ｅ上に載置されており、他端は、支持部２３Ｄ及び支持部２３Ｅで挟まれるように支持部２３Ｅ上に載置されている。これにより、太陽光パネル２８Ｃが収納部２０内に収納されている。また、太陽光パネル２８Ｄの一端は、支持部２１Ｅ及び支持部２１Ｆで挟まれるように支持部２１Ｆ上に載置されており、他端は、支持部２３Ｅ及び支持部２３Ｆで挟まれるように支持部２３Ｆ上に載置されている。これにより、太陽光パネル２８Ｄが収納部２０内に収納されている。
【００５５】
なお、矢印Ｘ方向に見て、太陽光パネル２８Ｂ、２８Ｃ、２８Ｄ、及び作業用パネル３４の一端部には、後述するガイドレール４０Ｂ、４２Ｂ、４４Ｂ、４６Ｂに沿って移動する摩擦抵抗の低い樹脂製の支持部材や戸車４５（図４参照）が設けられているが、図２（Ａ）ではこれらの図示を省略している。
【００５６】
作業用パネル３４の一端は、支持部２１Ｆ及び支持部２１Ｇで挟まれるように支持部２１Ｇ上に載置されており、他端は、支持部２３Ｆ及び支持部２３Ｇで挟まれるように支持部２３Ｇ上に載置されている。これにより、作業用パネル３４が収納部２０内に収納されている。そして、作業用パネル３４は、一例として、太陽光パネル２８と同様の大きさ（外形）となっている。
【００５７】
配線ボックス３２は、Ｙ−Ｚ面の断面が縦長の矩形状となっている筒体であり、矢印Ｙ方向に対向配置された側壁３２Ａと側壁３２Ｂを有している。側壁３２Ａは、腰壁１９の外側の側壁２４Ｂにボルト等（図示省略）を用いて固定されており、側壁３２Ｂには、上端支持部２１の取付部２１Ａが取付けられている。また、配線ボックス３２は、矢印Ｘ方向を長手方向として延設されると共に矢印Ｘ方向に開口しており、内部に太陽光パネル２８Ａ、２８Ｂ、２８Ｃ、２８Ｄの配線３６Ａ、３６Ｂ、３６Ｃ、３６Ｄを収納している。
【００５８】
一方、収納部２０に対して矢印Ｘ方向奥側には、Ｙ−Ｚ断面が略コ字状であり、案内手段及びレール材の一例としてのガイドレール３８Ａ、３８Ｂ、４０Ａ、４０Ｂ、４２Ａ、４２Ｂ、４４Ａ、４４Ｂ、４６Ａ、４６Ｂが、収納部２０に隣接して設けられている。なお、図２（Ａ）では、ガイドレール３８Ａ、３８Ｂ、４０Ａ、４０Ｂ、４２Ａ、４２Ｂ、４４Ａ、４４Ｂ、４６Ａ、４６Ｂを示すために、これらを上端支持部２１及び下端支持部２３とずらして表示しているが、実際は、これらの部材間に段差は無く、底面、上面、及び側面が面一となるように揃えられている。
【００５９】
ガイドレール４０Ａ、４２Ａ、４４Ａ、４６Ａは、支持部２１Ｄ、２１Ｅ、２１Ｆ、２１Ｇに高さを合わせて、配線ボックス３２の側壁３２Ａに取付けられている。また、ガイドレール４０Ｂ、４２Ｂ、４４Ｂ、４６Ｂは、支持部２３Ｄ、２３Ｅ、２３Ｆ、２３Ｇに高さを合わせて、外壁１４に取付けられている。即ち、対向配置されたガイドレール４０Ａ、４０Ｂによって太陽光パネル２８Ｂが矢印Ｘ方向に案内され、対向配置されたガイドレール４２Ａ、４２Ｂによって太陽光パネル２８Ｃが矢印Ｘ方向に案内されるようになっている。さらに、対向配置されたガイドレール４４Ａ、４４Ｂによって太陽光パネル２８Ｄが矢印Ｘ方向に案内され、対向配置されたガイドレール４６Ａ、４６Ｂによって作業用パネル３４が矢印Ｘ方向に案内されるようになっている。
【００６０】
本実施形態では、一例として、支持部２１Ｂと支持部２３Ｂとの間が採光用（受光用）の窓部２７として開放されており、太陽光パネル２８Ａの表面が外部に露出している。このため、太陽光パネル２８Ａについては矢印Ｘ方向に移動させる必要が無いので、ガイドレール３８Ａ、３８Ｂは使用していない。なお、ガイドレール３８Ａ、３８Ｂを使用しないため、図２（Ｂ）では、ガイドレール３８Ａ、３８Ｂを二点鎖線で図示し、図３以降では図示を省略する。
【００６１】
ここで、太陽光パネル２８Ａは、ガイドレール３８Ａの手前側（図示の左端）に取付けられたストッパー部材４１Ａにより移動が規制され、収納部２０内で保持されている。また、太陽光パネル２８Ｂ、２８Ｃ、２８Ｄ、及び作業用パネル３４は矢印Ｘ方向に移動可能となっているが、移動の規制は各ストッパー部材４１Ｂ、４１Ｃ、４１Ｄ、４１Ｅで行われている。
【００６２】
図２（Ｂ）に示すように、矢印Ｘ方向における各太陽光パネル２８の長さをＬとする。そして、ガイドレール４０Ａ、４０Ｂには、収納部２０からの長さがＬとなる位置にストッパー部材４１Ｂが設けられており、ガイドレール４２Ａ、４２Ｂには、収納部２０からの長さが２Ｌとなる位置にストッパー部材４１Ｃが設けられている。さらに、ガイドレール４４Ａ、４４Ｂには、収納部２０からの長さが３Ｌとなる位置にストッパー部材４１Ｄが設けられている。これにより、太陽光パネル２８Ｂ、２８Ｃ、２８Ｄを矢印Ｘ方向の端部（図示の右端部）まで移動させると、平面視で見て、太陽光パネル２８Ａ、２８Ｂ、２８Ｃ、２８Ｄが隙間なく並んで隣接配置されるようになっている。なお、ガイドレール４６Ａ、４６Ｂの長さについては、作業用パネル３４が矢印Ｘ方向の全体をカバーできるように３Ｌとなっており、端部にはストッパー部材４１Ｅが設けられている。
【００６３】
ここで、図３（Ａ）に示すように、一例として、支持部２１Ｄ、２３Ｄの上面とガイドレール４０Ａ、４０Ｂの上面とが同じ高さに揃えられており、太陽光パネル２８Ｂの両端部は、支持部２１Ｄ、２３Ｄからガイドレール４０Ａ、４０Ｂの上面へ移動するようになっている。なお、他の支持部及びガイドレールについても同様の構成であるため、これらの説明は省略する。
【００６４】
また、図３（Ｂ）に示すように、一例として、ガイドレール３８Ａとガイドレール４０Ａとの間に一体で直立形成された壁部３９は、配線ボックス３２の側壁３２Ｂに取付けられている。また、壁部３９及び側壁３２Ｂには、矢印Ｘ方向に延びる長孔である貫通孔３５が形成されている。そして、太陽光パネル２８Ｂ（図２（Ａ）参照）から引き出された配線３６Ｂが、貫通孔３５に挿通されると共に配線ボックス３２内に収納されている。なお、他のガイドレール及び配線についても同様の構成であるため、これらの説明は省略する。
【００６５】
次に、建物１０の各部の動作を制御する制御手段の一例としての制御部５０の周辺の構成について説明する。
【００６６】
図４に示すように、各太陽光パネル２８及び作業用パネル３４（図２参照）の他端側（ガイドレール４０Ｂ、４２Ｂ、４４Ｂ、４６Ｂ側）には、モータ４８により回転駆動される複数の戸車４５が設けられている。モータ４８は、各太陽光パネル２８内部に搭載されており、各配線３６に含まれる第２配線３７Ｂを介して、建物１０内に設けられた制御部５０に接続されている。また、矢印Ｘ方向における各太陽光パネル２８の側面（図示の右側面）には、後述する手動モード時に居住者が把持して太陽光パネル２８を矢印Ｘ方向に移動させる把持部４７が設けられている。
【００６７】
制御部５０は、建物１０内に設けられた操作パネル５４が接続されており、操作パネル５４からの指示によりモータ４８を駆動して複数の戸車４５を回転させ、各太陽光パネル２８を矢印Ｘ方向に移動させるようになっている。なお、操作パネル５４では、モータ４８を駆動する自動モードと、モータ４８を駆動せず居住者が手動で各太陽光パネル２８を移動させる手動モードとがスイッチ（図示省略）により切り換え可能となっている。
【００６８】
また、建物１０には、屋外の風速を測定する風速計５６と、屋外の温度を測定する温度センサ５７と、屋外の湿度を測定する湿度センサ５８と、建物１０へ照射される太陽光の照度を測定する照度計５９とが設けられている。風速計５６、温度センサ５７、湿度センサ５８、及び照度計５９は、検知手段の一例であり、制御部５０に接続されている。そして、風速、温度、湿度、及び照度の測定データが、制御部５０に送られるようになっている。
【００６９】
制御部５０には、予め、風速、温度、湿度、照度の各閾値と、閾値以上（条件Ａとする）、閾値未満（条件Ｂとする）の設定条件が設定されている。なお、本実施形態では、制御部５０において、一例として、湿度及び照度の測定データから晴天、雨天、曇天の各天候や日中又は夜間の時間帯が区別され、風速の測定データに基づいて各太陽光パネル２８の移動（開口部３０の開閉）を行うようになっている。また、温度の測定データは、必要に応じて、湿度データの補正（例えば、季節が異なることによる補正）に用いられるようになっている。
【００７０】
一方、各配線３６内には、第２配線３７Ｂに加えて第１配線３７Ａが含まれている。第１配線３７Ａは、一端が各太陽光パネル２８に接続されており、他端が居住部１２（図１参照）内に設けられた集電部４９に接続されている。集電部４９では、各太陽光パネル２８で得られた電力が測定され、この電力情報が制御部５０へ送られるようになっている。また、集電部４９は、配線３７Ｃを介してパワーコンディショナ５２に接続されている。
【００７１】
パワーコンディショナ５２では、直流の電流が交流に変換され、建物１０内の各部へ供給されるようになっている。また、パワーコンディショナ５２は、配線３７Ｄを介して蓄電池（図示省略）に接続されており、各太陽光パネル２８で得られた電力が、この蓄電池で蓄えられるようになっている。
【００７２】
次に、制御部５０に設定された各太陽光パネル２８の移動パターンの一例について説明する。
【００７３】
図５には、時間、天候、及び風速の組合せにより、各太陽光パネル２８が収納部２０に収納される移動パターン、又は収納部２０から引き出される移動パターンがフロー図で示されている。
【００７４】
ここで、図４及び図５に示す構成において、日中（昼間含む）且つ晴天の場合、制御部５０は、風速計５６で得られた平均風速が一例として１０ｍ／ｓ以上（条件Ａ）か、１０ｍ／ｓ未満（条件Ｂ）かを決定する。なお、平均風速１０ｍ／ｓとは、やや強い風と表現される風速であり、人が風に向かって歩きにくくなり、建物では、取付けの不完全な看板やトタン板が飛び始める風速である。
【００７５】
続いて、条件Ａの場合は、制御部５０がモータ４８を駆動して、各太陽光パネル２８を収納部２０（図２参照）から開口部３０へ引き出す設定となっている。また、条件Ｂの場合は、制御部５０がモータ４８を逆回転駆動して、各太陽光パネル２８を開口部３０から収納部２０（図２参照）へ収納する設定となっている。このように、条件Ａのときに各太陽光パネル２８を収納部２０から引き出し、条件Ｂのときに各太陽光パネル２８を収納部２０へ収納するのは、雨天の場合、夜間の場合で同様である。
【００７６】
一方、日中において曇天が判定された場合、一例として、制御部５０は手動モードに切り換えられるようになっている。そして、居住者が手動で各太陽光パネル２８を収納部２０（図２参照）へ収納し、又は収納部２０から開口部３０へ各太陽光パネル２８を引き出すように設定されている。
【００７７】
（作用）
次に、第１実施形態の作用について説明する。
【００７８】
図６（Ａ）に示すように、建物１０では、居住者が通気性及び採光性を必要とする場合、複数の太陽光パネル２８を収納部２０に収納しておく。ここで、収納部２０では、複数の太陽光パネル２８が上下方向（図１の矢印Ｚ方向）に複数段で収納されているため、吹き抜け部１６の空間における収納部２０の占有率は低くなる。これにより、吹き抜け部１６における通気性及び採光性を確保することができる。なお、太陽光パネル２８Ａは窓部２７（図２参照）を介して屋外に露出されているため、太陽光発電は行われる。
【００７９】
一方、図６（Ｂ）に示すように、居住者が太陽光パネル２８による発電量の増加を必要とする場合は、収納部２０内に収納されている複数の太陽光パネル２８Ｂ、２８Ｃ、２８Ｄを矢印Ｘ方向に引き出すと共に、ガイドレール４０Ａ、４０Ｂ、４２Ａ、４２Ｂ、４４Ａ、４４Ｂ（図２参照）に沿って開口部３０へ移動させる。これにより、開口部３０（吹き抜け部１６）を覆って複数の太陽光パネル２８Ａ、２８Ｂ、２８Ｃ、２８Ｄが配置されるので、開口部３０で１枚の太陽光パネル２８を用いて太陽光発電を行う構成に比べて、太陽光パネル２８全体の発電量を増加させることができる。
【００８０】
また、建物１０では、図２（Ｂ）に示すように、矢印Ｘ方向における太陽光パネル２８Ｂ、２８Ｃ、２８Ｄの収納部２０からの引き出し長さが、太陽光パネル２８の長さＬの整数倍ｎＬ（ｎ＝１、２、３）となっているので、太陽光パネル２８Ｂ、２８Ｃ、２８Ｄをストッパー部材４１Ｂ、４１Ｃ、４１Ｄの位置まで引き出すと、図６（Ｂ）に示すように、太陽光パネル２８Ａ、２８Ｂ、２８Ｃ、２８Ｄが平面視で見て隣接して配置される。
【００８１】
このように、建物１０では、太陽光パネル２８Ａ、２８Ｂ、２８Ｃ、２８Ｄが隣接配置されるので、太陽光パネル２８Ａ、２８Ｂ、２８Ｃ、２８Ｄ間の隙間を低減することができる。さらに、これらの隙間が低減されることから、開口部３０（吹き抜け部１６）における太陽光パネル２８の無駄な設置スペースを減らせる。これにより、建物１０を平面視で見たときに、開口部３０（吹き抜け部１６）の全面積に対して、複数の太陽光パネル２８の受光面の占有率（表面積の合計比率）を上げることができ、発電量を増やすことができる。
【００８２】
さらに、建物１０では、図２（Ａ）、（Ｂ）に示すように、収納部２０から作業用パネル３４を引き出すと共に、ガイドレール４６Ａ、４６Ｂによって開口部３０へ案内することで作業用パネル３４が配置される。ここで、作業用パネル３４が作業時の足場となり、作業用パネル３４よりも上側に収納されている太陽光パネル２８Ａ、２８Ｂ、２８Ｃ、２８Ｄの引き出し又はメンテナンス作業を行うことができるので、別途、脚立等の足場を準備する必要がなくなる。これにより、太陽光パネル２８Ａ、２８Ｂ、２８Ｃ、２８Ｄのメンテナンス作業を容易に行うことができる。また、メンテナンス作業後は、作業用パネル３４を太陽光パネル２８Ａ、２８Ｂ、２８Ｃ、２８Ｄと共に収納部２０に収納すればよいので、作業用パネル３４用に別途、収納部を設けなくても済む。
【００８３】
また、建物１０では、図２（Ａ）に示すように、太陽光パネル２８Ａ、２８Ｂ、２８Ｃ、２８Ｄに接続された配線３６Ａ、３６Ｂ、３６Ｃ、３６Ｄが、配線ボックス３２によって一箇所に集約されると共に覆われて隔離されるので、太陽光パネル２８Ｂ、２８Ｃ、２８Ｄを矢印Ｘ方向に移動させるときに、配線３６Ａ、３６Ｂ、３６Ｃ、３６Ｄが各太陽光パネル２８側に露出しにくくなる。これにより、配線３６Ａ、３６Ｂ、３６Ｃ、３６Ｄに傷が付くのを抑制することができる。
【００８４】
さらに、配線ボックス３２が各太陽光パネル２８の引き出し方向（矢印Ｘ方向）に開口した形状となっているため、配線３６Ｂ、３６Ｃ、３６Ｄは、少なくとも、引き出し方向と直交する方向（矢印Ｙ方向、矢印Ｚ方向）で配線ボックス３２により覆われる。これにより、移動する太陽光パネル２８Ｂ、２８Ｃ、２８Ｄと配線３６Ｂ、３６Ｃ、３６Ｄとが接触しにくくなり、配線３６Ｂ、３６Ｃ、３６Ｄに傷が付くのを抑制することができる。
【００８５】
加えて、建物１０では、自動モードを選択した場合、図４に示すように、制御部５０が、風速計５６、湿度センサ５８、照度計５９で検知された風速、湿度、及び照度のうち、少なくとも１つの環境因子における設定条件を超えたかどうかを判断する。なお、温度センサ５７は補正に用いられる。
【００８６】
ここで、図４、図５、及び図７（Ａ）に示すように、一例として、日中に晴天となり、風速が条件Ａの場合、制御部５０が太陽光発電を必要と判定する。そして、制御部５０は、モータ４８を駆動して戸車４５を正回転（図示の時計回り方向の回転）させ、太陽光パネル２８Ｂ、２８Ｃ、２８Ｄを開口部３０へ移動させる。これにより、太陽光パネル２８Ａ、２８Ｂ、２８Ｃ、２８Ｄが吹き抜け部１６上に配置され、太陽光発電が行われる。なお、風速の条件がＡであり、建物１０に吹き付ける風が強くなっているが、吹き抜け部１６上が太陽光パネル２８Ａ、２８Ｂ、２８Ｃ、２８Ｄで覆われているため、吹き抜け部１６に吹き込む強風を防ぐことができる。
【００８７】
一方、図４、図５、及び図７（Ｂ）に示すように、一例として、夜間で風速が条件Ｂの場合、制御部５０は、太陽光発電が不要で且つ風が弱いため、通気性を優先させ、太陽光パネル２８Ｂ、２８Ｃ、２８Ｄを収納部２０に収納する。即ち、制御部５０は、モータ４８を逆駆動して戸車４５を逆回転（図示の反時計回り方向の回転）させ、太陽光パネル２８Ｂ、２８Ｃ、２８Ｄを収納部２０内へ移動させる。これにより、太陽光パネル２８Ｂ、２８Ｃ、２８Ｄが収納部２０内に収納される。なお、風速の条件がＢであり、建物１０に吹き付ける風が弱くなっている。このため、夏の暑い時期には、開口部３０（吹き抜け部１６）の上方が開放されることで建物１０内の風通しがよくなる。このように、建物１０では、自動モード選択時、各太陽光パネル２８の移動が自動制御となるので、建物１０の居住者が行う各太陽光パネル２８の移動作業を無くすことができる。
【００８８】
加えて、建物１０では、図４及び図５に示すように、太陽光パネル２８のメンテナンス作業を行う場合、あるいは、日中に曇天となった場合に、居住者が操作パネル５４を操作し、必要に応じて自動モードから手動モードに切り換える。ここで、一例として、把持部４７を掴んで太陽光パネル２８を僅かに移動させメンテナンスを行う場合、手動モードがあることで、すぐに太陽光パネル２８を移動させることができ、且つ移動位置の微調整が行える。これにより、太陽光パネル２８の移動に必要な時間が短くなり、且つ太陽光パネル２８の移動に余分なエネルギー（電力）を消費しなくて済むので、太陽光パネル２８のメンテナンス作業時のエネルギー消費量を低減することができる。
【００８９】
図８には、建物１０（図１参照）の他の実施例として、建物６０が示されている。建物６０は、建物１０の吹き抜け部１６の１階と２階の間となる高さにおいて、居住部１２の側壁２４Ｂと側壁２４Ｃとに跨って、床部６２が設けられた構成となっている。ここで、一例として、制御部５０（図４参照）を手動モードにしておき、太陽光パネル２８Ｃ、２８Ｄを床部６２上に移動させると、太陽光パネル２８Ｃ、２８Ｄを庇あるいは屋根として利用することができる。
【００９０】
（第２実施形態）
次に、本発明の第２実施形態に係る建物について説明する。なお、前述した第１実施形態と基本的に同一の部材には、前記第１実施形態と同一の符号を付与してその説明を省略する。
【００９１】
図９には、第２実施形態の一例としての建物７０の縦断面図が示されている。建物７０は、第１実施形態の建物１０の居住部１２（図１参照）に換えて居住部７２が設けられ、さらに、収納部２０（図１参照）に換えて収納部８０が設けられた構成となっている。居住部７２は、陸屋根７４と、陸屋根７４の外縁部に立設された腰壁７６とを有している。そして、居住部７２と外壁１４との間が、吹き抜け部７８（開口部７９）となっている。
【００９２】
収納部８０は、一例として、矢印Ｘ方向に見て、太陽光パネル２８Ａ、２８Ｂ、２８Ｃ、２８Ｄ、及び作業用パネル３４の一端（図示の左端）を支持する上端支持部８２と、これらのパネルの他端（図示の右端）を支持する下端支持部８４とを有している。なお、各太陽光パネル２８は、第１実施形態と同様に制御部５０（図４参照）に接続されている。また、制御部５０における手動モード、自動モードの切り換え、及び風速計５６、温度計５７、湿度センサ５８、及び照度計５９（図４参照）を用いた制御については、第１実施形態と同様であるため、説明を省略する。
【００９３】
上端支持部８２は、矢印Ｘ方向における図示の手前側に直立配置された板状の取付部８１（図１０参照）と、取付部８１から矢印Ｘ方向に延設された板状の支持部８２Ａ、８２Ｂ、８２Ｃ、８２Ｄ、８２Ｅ、８２Ｆとを含んで構成されている。取付部は、腰壁７６の上面にビス等を用いて固定されている。また、支持部８２Ａ、８２Ｂ、８２Ｃ、８２Ｄ、８２Ｅ、８２Ｆは、太陽光パネル２８又は作業用パネル３４の厚さよりも大きい間隔をあけて矢印Ｚ方向に６段で設けられており、それぞれの先端が同じ角度で斜め下方（外壁１４側）に向けて延びている。なお、矢印Ｘ方向（図示の奥行き方向）において、支持部８２Ａ、８２Ｂ、８２Ｃ、８２Ｄ、８２Ｅ、８２Ｆの長さは、太陽光パネル２８の長さより僅かに長くなっている。
【００９４】
下端支持部８４は、外壁１４の上端に立設された直方体状の取付部８４Ｇと、取付部８４Ｇから上端支持部８２に向けて突設された板状の支持部８４Ａ、８４Ｂ、８４Ｃ、８４Ｄ、８４Ｅ、８４Ｆとを含んで構成されている。支持部８４Ａ、８４Ｂ、８４Ｃ、８４Ｄ、８４Ｅ、８４Ｆは、太陽光パネル２８又は作業用パネル３４の厚さに相当する長さよりも長い間隔をあけて矢印Ｚ方向に６段で設けられており、それぞれの先端が同じ角度で斜め上方（上端支持部８２側）に向けて延びている。なお、矢印Ｘ方向（図示の奥行き方向）において、支持部８４Ａ、８４Ｂ、８４Ｃ、８４Ｄ、８４Ｅ、８４Ｆの長さは、太陽光パネル２８の長さより僅かに長くなっている。また、取付部８１（図１０参照）は、上端支持部８２から下端支持部８４の取付部８４Ｇまで延設されている。
【００９５】
ここで、下端支持部８４から上端支持部８２へ斜め上方に向かう方向（矢印Ｘ方向及び矢印Ｚ方向と交差する交差方向）を矢印Ｓ方向とする。この矢印Ｓ方向において、太陽光パネル２８Ａの両端部は支持部８２Ｂ、８４Ｂで支持されており、太陽光パネル２８Ｂの両端部は支持部８２Ｃ、８４Ｃで支持されている。そして、太陽光パネル２８Ｃの両端部は支持部８２Ｄ、８４Ｄで支持されており、太陽光パネル２８Ｄの両端部は支持部８２Ｅ、８４Ｅで支持されている。さらに、作業用パネル３４の両端部は支持部８２Ｆ、８４Ｆで支持されている。
【００９６】
一方、収納部８０に対して矢印Ｘ方向奥側には、ガイドレール３８Ａ、３８Ｂ、４０Ａ、４０Ｂ、４２Ａ、４２Ｂ、４４Ａ、４４Ｂ、４６Ａ、４６Ｂが、収納部８０に隣接して設けられている。なお、図９では、ガイドレール３８Ａ、３８Ｂ、４０Ａ、４０Ｂ、４２Ａ、４２Ｂ、４４Ａ、４４Ｂ、４６Ａ、４６Ｂを示すために、これらを上端支持部８２及び下端支持部８４とずらして表示しているが、実際はこれらの部材間に段差が無く、底面、上面、及び側面が面一に揃えられている。このようにして、太陽光パネル２８Ａ、２８Ｂ、２８Ｃ、２８Ｄ、及び作業用パネル３４が、収納部８０内に収納されている。
【００９７】
また、陸屋根７４上で腰壁７６に隣接する位置には、配線ボックス８６が設けられている。配線ボックス８６は、Ｙ−Ｚ面の断面が縦長の矩形状となっている筒体であり、矢印Ｙ方向に対向する側壁８６Ａと側壁８６Ｂを有している。また、配線ボックス８６は、矢印Ｘ方向を長手方向として延設されると共に矢印Ｘ方向に開口しており、内部に太陽光パネル２８Ａ、２８Ｂ、２８Ｃ、２８Ｄの配線３６Ａ、３６Ｂ、３６Ｃ、３６Ｄを収納している。
【００９８】
なお、本実施形態では、一例として、収納部８０における支持部８２Ａと支持部８４Ａとの間が窓部８５として開放されており、太陽光パネル２８Ａの表面が外部に露出している。このため、太陽光パネル２８Ａについては矢印Ｘ方向に移動させる必要が無いので、ガイドレール３８Ａ、３８Ｂを使用していない。そして、太陽光パネル２８Ａはストッパー部材４１Ａ（図２（Ｂ）参照）により収納部８０内で保持されており、他の太陽光パネル２８Ｂ、２８Ｃ、２８Ｄが各ストッパー部材４１Ｂ、４１Ｃ、４１Ｄ（図２（Ｂ）参照）まで矢印Ｘ方向に移動するようになっている。
【００９９】
図１０には、一例として、収納部８０を平面視で見て、太陽光パネル２８Ｂを２方向に引き出す状態が示されている。なお、他の太陽光パネル２８Ｃ、２８Ｄ、及び作業用パネル３４については、同様の構成であるため説明を省略する。
【０１００】
収納部８０における矢印Ｓ方向の上側の側壁８３には、太陽光パネル２８が通過可能な大きさに開口した引出口８３Ａが形成されている。そして、太陽光パネル２８Ｂは、矢印Ｘ方向奥側の側面に把持部４７が設けられており、さらに、矢印Ｓ方向上側の側面に把持部８８が設けられている。これにより、手動モードでは、把持部４７を掴んで引っ張ることにより太陽光パネル２８Ｂが矢印Ｘ方向に引き出され、また、把持部８８を掴んで引っ張ることにより太陽光パネル２８Ｂが矢印Ｓ方向に引き出されるようになっている。
【０１０１】
また、収納部８０では、取付部８１の内側に、矢印Ｓ方向に延びるガイドレール９２が設けられている。ガイドレール９２は、矢印Ｘ方向に開放されたコ字状の断面（図示省略）を有するレール材であり、陸屋根７４の上方を覆う位置まで延設されている。また、ガイドレール９２には、ガイドレール９２の凹部と係合することでガイドレール９２に沿って移動する直方体状の可動部９４が設けられている。
【０１０２】
可動部９４は、制御部５０（図４参照）からの指示情報に基づいて矢印＋Ｒ方向（図示の時計回り方向）又は矢印−Ｒ方向（図示の反時計回り方向）に回動するフック部材９６が設けられている。フック部材９６は、平面視で見てＬ字状の部材であり、回動軸９６Ａを有している。回動軸９６Ａにはモータ（図示省略）が設けられており、制御部５０（図４参照）により駆動される。そして、太陽光パネル２８の端部（図示の左端部）には、フック部材９６と係合する板状の被係合部９８が設けられている。
【０１０３】
また、矢印Ｓ方向における可動部９４の端部（図示の上端）には、ケーブル１０２の一端が取付けられており、ケーブル１０２の他端は、陸屋根７４上に設けられた巻取り装置１０４に接続されている。なお、巻取り装置の動作制御及びフック部材９６の回動制御は、制御部５０（図４参照）で行われる。また、太陽光パネル２８を矢印Ｘ方向に移動させるときは、フック部材９６と被係合部９８との係合状態が解除される。
【０１０４】
（作用）
次に、第２実施形態の作用について説明する。
【０１０５】
図１０に示すように、収納部８０において、手動モードの場合、居住者（操作者）が把持部４７を掴んで引っ張ると、太陽光パネル２８が矢印Ｘ方向に引き出される。また、把持部８８を掴んで引っ張ると、太陽光パネル２８が矢印Ｓ方向に引き出される。
【０１０６】
一方、収納部８０において、自動モードの場合、太陽光パネル２８を矢印Ｘ方向に引き出すときには、制御部５０（図４参照）が、回動軸９６Ａを回動させてフック部材９６と被係合部９８との係合状態を解除すると共に、戸車４５を回転させる。これにより、太陽光パネル２８は、自動で矢印Ｘ方向（図示の右方向）に移動する。
【０１０７】
また、自動モードで、太陽光パネル２８を矢印Ｓ方向に引き出すときには、制御部５０（図４参照）が、回動軸９６Ａを回動させてフック部材９６を被係合部９８に係合させる。続いて、フック部材９６と被係合部９８とが係合した状態で、巻取り装置１０４を作動させ、ケーブル１０２を巻き取る。これにより、太陽光パネル２８が矢印Ｓ方向の上方に移動する。なお、太陽光パネル２８を収納部８０に収納するときには、巻取り装置１０４による巻取りを解除すると共にケーブル１０２を引き出させ、太陽光パネル２８を矢印Ｓ方向の下方に移動させる。
【０１０８】
ここで、第２実施形態の建物７０では、例えば、開口部７９（吹き抜け部７８）が狭いことにより、収納部８０内の全ての太陽光パネル２８（２８Ａ、２８Ｂ、２８Ｃ、２８Ｄ）を開口部７９へ引き出すことができない建物であっても、上記のように、収納部８０内に残った太陽光パネル２８を引出口８３Ａから陸屋根７４側へ引き出して使用することが可能となる。このため、開口部７９（吹き抜け部７８）が狭い場合であっても、各太陽光パネル２８による発電量が低下するのを抑制することができる。
【０１０９】
（第３実施形態）
次に、本発明の第３実施形態に係る建物について説明する。なお、前述した第１、第２実施形態と基本的に同一の部材には、前記第１、第２実施形態と同一の符号を付与してその説明を省略する。
【０１１０】
図１１には、第３実施形態の一例としての建物１１０、１２０が示されている。建物１１０は、道路２２に面した居住部１１２と、居住部１１２と対向配置された外壁１４との間が吹き抜け部１１４となっており、吹き抜け部１１４の上部には、収納部２０が設けられている。そして、吹き抜け部１１４における収納部２０を除く部位が開口部１１５となっている。
【０１１１】
収納部２０内には、太陽光パネル２８Ａ、２８Ｂ、２８Ｃ、２８Ｄ、及び作業用パネル３４が収納されている。また、居住部１１２における外壁１４と対向配置された側壁１１３の上部には、配線ボックス３２及びガイドレール４０Ａ、４２Ａ、４４Ａ、４６Ａ（図１２参照）が設けられている。さらに、外壁１４の内側には、ガイドレール４０Ｂ、４２Ｂ、４４Ｂ、４６Ｂ（図１２参照）が設けられている。
【０１１２】
一方、建物１２０は、建物１１０の境界線Ａに隣接した境界線Ｂで示される敷地に構築されている。建物１２０は、道路１２１（建物１１０とは反対側に位置）に面した居住部１２２と、外壁１２４（居住部１２２と対向配置）との間が、吹き抜け部１２６となっており、吹き抜け部１２６の上部には、収納部１３０が設けられている。そして、吹き抜け部１２６における収納部１３０を除く部位が開口部１２７となっている。
【０１１３】
また、居住部１２２における外壁１２４と対向配置された側壁１２３の上部には、配線ボックス１３２及びガイドレール１４０Ａ、１４２Ａ、１４４Ａ、１４６Ａ（図１２参照）が設けられており、外壁１２４の内側には、ガイドレール１４０Ｂ、１４２Ｂ、１４４Ｂ、１４６Ｂ（図１２参照）が設けられている。さらに、建物１２０は、収納部１３０内に、太陽光パネル１３４Ａ、１３４Ｂ、１３４Ｃ、１３４Ｄ、及び作業用パネル１３６を有している。
【０１１４】
図１２に示すように、太陽光パネル１３４Ａは、収納部１３０内で保持されており、太陽光パネル１３４Ｂは、ガイドレール１４０Ａ、１４０Ｂで案内される。また、太陽光パネル１３４Ｃは、ガイドレール１４２Ａ、１４２Ｂで案内され、太陽光パネル１３４Ｄは、ガイドレール１４４Ａ、１４４Ｂで案内される。そして、作業用パネル１３６は、ガイドレール１４６Ａ、１４６Ｂで案内される。
【０１１５】
なお、図１１において、建物１１０を構成する部材及び部位と建物１２０を構成する部材及び部位とを異なる符合を用いて図示しているが、建物１１０と建物１２０は、同様の大きさ及び形状の部材で構成されており、建物１１０の敷地と建物１２０の敷地との境界線Ｃを挟んで対称配置されている。このため、建物１２０を構成する各部材及び各部位については、建物１１０と同じ名称を用いて説明を省略する。
【０１１６】
ここで、図１２に示すように、建物１１０と建物１２０との間（以後、空間部Ｍという）には、ガイドレール４４Ａ、４４Ｂ、４６Ａ、４６Ｂで案内された太陽光パネル２８Ｄ、作業用パネル３４を空間部Ｍに案内する架設部材の一例としての架設レール材１４８Ａ、１４８Ｂ、１４９Ａ、１４９Ｂが設けられている。架設レール材１４８Ａ、１４８Ｂ、１４９Ａ、１４９Ｂは、矢印Ｘ方向に見て断面がＬ字状の部材であり、架設レール材１４８Ａと架設レール材１４８Ｂ、架設レール材１４９Ａと架設レール材１４９Ｂが、それぞれ矢印Ｙ方向に間隔をあけて対向配置されている。
【０１１７】
架設レール材１４８Ａは、ガイドレール４４Ａとガイドレール１４４Ａとを連結しており、架設レール材１４８Ｂは、ガイドレール４４Ｂとガイドレール１４４Ｂとを連結している。同様に、架設レール材１４９Ａは、ガイドレール４６Ａとガイドレール１４６Ａとを連結しており、架設レール材１４９Ｂは、ガイドレール４６Ｂとガイドレール１４６Ｂとを連結している。
【０１１８】
また、架設レール材１４８Ａ、１４８Ｂ、１４９Ａ、１４９Ｂは、通常、建物１１０のガイドレール４４Ａ、４４Ｂ、４６Ａ、４６Ｂの内側に収納されている。そして、架設レール材１４８Ａ、１４８Ｂ、１４９Ａ、１４９Ｂは、使用時に、制御部５０で動作制御されるモータ（図示省略）の駆動によって矢印Ｘ方向に向けて伸び、端部（図示の右端）がガイドレール１４４Ａ、１４４Ｂ、１４６Ａ、１４６Ｂの内側に入り込むことで、ガイドレール４４Ａ、４４Ｂ、４６Ａ、４６Ｂと、ガイドレール１４４Ａ、１４４Ｂ、１４６Ａ、１４６Ｂとを連結するようになっている。
【０１１９】
さらに、本実施形態では一例として、架設レール材１４８Ａ、１４８Ｂ上に太陽光パネル２８Ｄ、１３４Ｄが配置されている。そして、太陽光パネル１３４Ｄは、配線１３８を介して補助制御手段の一例としての補助制御部１３９に接続されている。なお、太陽光パネル１３４Ａ、１３４Ｂ、１３４Ｃ、１３４Ｄには、モータ４８及び戸車４５（図４参照）が搭載されている。
【０１２０】
ここで、配線１３８は、建物１２０において、通常時、太陽光パネル１３４Ｄを使用するために用いる配線ではなく、太陽光パネル１３４Ｄに設けられた外部操作用端子（図示省略）と、補助制御部１３９に設けられた端子（図示省略）とを接続するオプション配線である。このため、配線１３８を収納部１３０から引き出す必要は無いので、接続作業を簡単に行える。
【０１２１】
補助制御部１３９は、制御部５０の内部に設けられており、制御部５０からの指示により、太陽光パネル１３４Ｄに設けられたモータ４８（図４参照）を駆動して戸車４５（図４参照）を逆回転させ、太陽光パネル１３４Ｄを空間部Ｍへ移動させるように設定されている。また、配線１３８内には、太陽光パネル１３４Ｄで得られた電力が供給される電力供給用の配線が設けられている。
【０１２２】
（作用）
次に、第３実施形態の作用について説明する。
【０１２３】
図１１及び図１２に示すように、一例として、建物１１０には、日常生活における消費電力量が多い居住者（例えば若い夫婦と子供）が居住しており、建物１２０には、日常生活における消費電力量の少ない居住者（例えば老夫婦）が居住しているとする。ここで、建物１１０の居住者が、操作パネル５４（図４参照）を操作して、建物１１０と建物１２０との間の空間部Ｍに架設レール材１４８Ａ、１４８Ｂ、１４９Ａ、１４９Ｂを伸ばし、ガイドレール４４Ａ、４４Ｂ、４６Ａ、４６Ｂと、ガイドレール１４４Ａ、１４４Ｂ、１４６Ａ、１４６Ｂとを連結させる。
【０１２４】
続いて、操作パネル５４の操作により、架設レール材１４８Ａ、１４８Ｂ上に太陽光パネル２８Ｄ、１３４Ｄを移動させる。これにより、開口部１１５（吹き抜け部１１４）の上部だけでなく、建物１１０と建物１２０との間の空間部Ｍにおいても、太陽光パネル１３４Ｄを追加配置して太陽光発電に利用することができるので、建物１１０における太陽光による発電量を増加させることができる。
【０１２５】
また、建物１１０、１２０では、補助制御部１３９が、空間部Ｍへの太陽光パネル（ここでは一例として太陽光パネル２８Ｄ、１３４Ｄ）の移動を制御するので、吹き抜け部１１４から空間部Ｍ、あるいは、吹き抜け部１２６から空間部Ｍへの太陽光パネルの移動が自動制御となる。これにより、建物１１０、１２０の居住者が太陽光パネル２８Ｄ、１３４Ｄを手動で移動させなくて済む。さらに、作業用パネル３４を空間部Ｍに移動させることで、太陽光パネル２８Ｄ、１３４Ｄ等のメンテナンスを、吹き抜け部１１４、１２６よりも広い場所で行うことができる。
【０１２６】
なお、本発明は上記の実施形態に限定されない。
【０１２７】
建物１０、７０、１１０、１２０は、二階建てに限らず、三階建て以上の高層建物であってもよい。また、建物１０は、平面視で見て居住部１２がＬ字形でなく矩形状であってもよい。さらに、吹き抜け部１６、１１４、１２６は、四方を外壁で囲まれた吹き抜け部であってもよい。また、太陽光パネル２８は、４枚に限らず、４枚を除く２枚以上の複数枚であってもよい。そして、作業用パネル３４を設けず、太陽光パネル２８のみを設けた構成であってもよい。
【０１２８】
太陽光パネル２８の把持部４７、８８を側面に収納させると共に、ガイドレール４０Ａ、４０Ｂ、４２Ａ、４２Ｂ、４４Ａ、４４Ｂ、４６Ａ、４６Ｂの一部を上方に移動可能に設けて、太陽光パネル２８Ａ、２８Ｂ、２８Ｃ、２８Ｄの上面を揃えてもよい。また、ガイドレール４０Ａ、４０Ｂ、４２Ａ、４２Ｂの長さをストッパー部材４１Ｂ、４１Ｃを用いずに予めＬ、２Ｌで形成しておいてもよい。さらに、架設レール材１４８Ａ、１４８Ｂ、１４９Ａ、１４９Ｂは、居住者が手動で連結作業を行ってもよい。
【０１２９】
温湿度センサ５８を用いた制御部５０の制御パターンとして、予め、温度と湿度の組合わせで晴天、曇天、雨天を設定しておき、温湿度センサ５８で検知された温度及び湿度に基づいて天候を判断して、太陽光パネル２８を収納又は引き出すようにしてもよい。これにより、居住者が操作パネル５４に晴天、曇天、雨天を入力（選択）しなくても済む。
【０１３０】
さらに、第３実施形態の建物１１０、１２０の収納部２０、１３０に、第２実施形態の収納部８０における２方向移動の構成を適用してもよく、また、第１実施形態で説明した日中、昼間、夜間と天候（温度、湿度、平均風速含む）との組合せによる太陽光パネルの移動制御方法を適用してもよい。
【符号の説明】
【０１３１】
１０  建物
１４  外壁
１６  吹き抜け部
２０  収納部
２７  窓部
２８  太陽光パネル
３０  開口部
３２  配線ボックス
３４  作業用パネル
４０Ａ  ガイドレール（案内手段及びレール材の一例）
４０Ｂ  ガイドレール（案内手段及びレール材の一例）
４２Ａ  ガイドレール（案内手段及びレール材の一例）
４２Ｂ  ガイドレール（案内手段及びレール材の一例）
４４Ａ  ガイドレール（案内手段及びレール材の一例）
４４Ｂ  ガイドレール（案内手段及びレール材の一例）
４６Ａ  ガイドレール（案内手段及びレール材の一例）
４６Ｂ  ガイドレール（案内手段及びレール材の一例）
４７  把持部
５０  制御部（制御手段の一例）
５６  風速計（検知手段の一例）
５８  湿度センサ（検知手段の一例）
５９  照度計（検知手段の一例）
７０  建物
７９  開口部
８３Ａ  引出口
８５  窓部
１１０  建物
１１４  吹き抜け部
１２０  建物
１２６  吹き抜け部
１３４Ａ  太陽光パネル
１３４Ｂ  太陽光パネル
１３４Ｃ  太陽光パネル
１３４Ｄ  太陽光パネル
１３９  補助制御部（補助制御手段の一例）
１４０Ａ  ガイドレール（案内手段及びレール材の一例）
１４０Ｂ  ガイドレール（案内手段及びレール材の一例）
１４２Ａ  ガイドレール（案内手段及びレール材の一例）
１４２Ｂ  ガイドレール（案内手段及びレール材の一例）
１４４Ａ  ガイドレール（案内手段及びレール材の一例）
１４４Ｂ  ガイドレール（案内手段及びレール材の一例）
１４６Ａ  ガイドレール（案内手段及びレール材の一例）
１４６Ｂ  ガイドレール（案内手段及びレール材の一例）
１４８Ａ  架設レール材（架設部材の一例）
１４８Ｂ  架設レール材（架設部材の一例）
【図１】
2012162935.tif 000003
【図２】
2012162935.tif 000004
【図３】
2012162935.tif 000005
【図４】
2012162935.tif 000006
【図５】
2012162935.tif 000007
【図６】
2012162935.tif 000008
【図７】
2012162935.tif 000009
【図８】
2012162935.tif 000010
【図９】
2012162935.tif 000011
【図１０】
2012162935.tif 000012
【図１１】
2012162935.tif 000013
【図１２】
2012162935.tif 000014